(57)【要約】【課題】  室内空間を冷房または暖房しながら同時に換気が可能であり、換気時に熱エネルギーの浪費を防止でき、空気調和機の熱交換機で発生する凝縮水を容易に排出できる空気調和システムの構造を提供する。【解決手段】  圧縮機；前記圧縮機から吐き出された冷媒の流動経路を各運転モードにしたがって転換して案内する流路制御バルブ；前記流路制御バルブの各アウトレットと連結され、冷媒をそれぞれ凝縮または蒸発させる第１及び第２熱交換機；前記第１及び第２熱交換機を連結する冷媒管に提供され、前記第１及び第２熱交換機のうち一方から吐き出された冷媒を膨張させる膨張装置；室外空気を前記第１熱交換機を経由させて室内に吐き出す第１送風ファン；室内空気を前記第２熱交換機を経由させて室外に吐き出す第２送風ファン；前記第１及び第２送風ファンによりそれぞれ送風される室外空気と、室内空気とを間接的に相互熱交換させる再生熱交換機を含めてなる。【選択図】      図３
2004191033.tif 000002
【特許請求の範囲】
【請求項１】
圧縮機；
前記圧縮機から吐き出された冷媒の流動経路を各運転モードにしたがって転換して案内する流路制御バルブ；
前記流路制御バルブの各アウトレットと連結され、冷媒をそれぞれ凝縮したり蒸発させる第１及び第２熱交換機；
前記第１及び第２熱交換機を連結する冷媒管に提供され、前記第１及び第２熱交換機のうち一方から吐き出された冷媒を膨張させる膨張装置；
室外空気を前記第１熱交換機を経由させて室内に吐き出す第１送風ファン；
室内空気を前記第２熱交換機を経由させて室外に吐き出す第２送風ファン；
前記第１及び第２送風ファンによりそれぞれ送風される室外空気と、室内空気とを間接的に相互熱交換させる再生熱交換機を含めてなる空気調和システム。
【請求項２】
前記再生熱交換機は、
それぞれが所定の距離離隔して配置され、内部に前記室内空気が流動する第１流路；
前記各第１流路の間に接触して配置され、内部に前記室外空気が流動する第２流路を含めてなる請求項１記載の空気調和システム。
【請求項３】
前記再生熱交換機は、流動する室外空気と室内空気とが互いに交差する地点に提供され、ここで、前記再生熱交換機は、
前記室外空気と室内空気とが層別に交互に流動できるように所定の距離離隔した状態で配置される多数個のプレート；
前記室外及び室内空気の流動方向とそれぞれ平行に前記各層別に前記プレートの間に提供され、横断面が連続した多数個のフォルドからなる流動ガイドプレートを含めてなる請求項１記載の空気調和システム。
【請求項４】
前記各フォルドは、
左側の低点から中央の最高点まで延長される上向き傾斜部と、
前記中央の最高点から右側の低点まで延長される下向き傾斜部とを含めてなる 請求項３記載の空気調和システム。
【請求項５】
前記室外空気と室内空気とはおおよそ垂直に交差して流動する請求項３記載の空気調和システム。
【請求項６】
内部に相互交差して提供される空気吸入及び排出流路と、前記各空気吸入及び排出流路の各端部に提供される多数個の空気吸入口及び排出口とを含めてなるケース；
前記空気吸入及び排出流路の交差地点に提供され、前記空気吸入及び排出流路を介してそれぞれ流動する室外及び室内空気を間接的に熱交換させる再生熱交換機；
前記ケースの内部に提供される圧縮機；
前記圧縮機から吐き出された冷媒の流動経路を各運転モードにしたがって転換して案内する流路制御バルブ；
前記流路制御バルブの各アウトレットと連結され、前記空気吸入及び排出流路にそれぞれ提供され、前記流路制御バルブから案内された冷媒をそれぞれ凝縮したり蒸発させる第１及び第２熱交換機；
前記第１及び第２熱交換機を連結する冷媒管に提供され、前記第１及び第２熱交換機のうち何れか一方から吐き出された冷媒を膨張させる膨張装置；
前記空気吸入流路に提供され、室外空気を前記第１熱交換機を経由させて室内に吐き出す第１送風ファン；
前記空気排出流路に提供され、室内空気を前記第２熱交換機を経由させて室外に吐き出す第２送風ファンを含めてなる空気調和機。
【請求項７】
前記空気吸入流路及び排出流路は前記ケース内に交差した形態で設けられるダクトにより提供される請求項６記載の空気調和機。
【請求項８】
前記空気吸入口は、
前記空気排出流路と室内空間とを連通させる第１空気吸入口と、前記空気吸入流路と室外空間とを連通させる第２空気吸入口とを含めてなり、
前記空気排出口は、
前記空気吸入流路と室内空間とを連通させる第１空気排出口と、前記空気排出流路と室外空間とを連通させる第２空気排出口とを含めてなる請求項７記載の空気調和機。
【請求項９】
前記第１空気吸入口と前記第１空気排出口は、ケースの外面のうち互いに異なる方向に向かうように傾斜して形成された二つの面にそれぞれ形成された請求項８記載の空気調和機。
【請求項１０】
前記ケースは、
空気の吐き出し方向を調節できるように前記第１空気排出口に回転可能に提供される多数個のルーバーをさらに含めてなる請求項８記載の空気調和機。
【請求項１１】
前記再生熱交換機は、
それぞれが所定の距離離隔して配置され、内部に前記室内空気が流動する第１流路、
前記各第１流路の間に接触して配置され、内部に前記室外空気が流動する第２流路を含めてなる請求項６記載の空気調和機。
【請求項１２】
前記再生熱交換機内で前記室内及び室外空気は大略相互に垂直な方向に流動する請求項６記載の空気調和機。
【請求項１３】
前記再生熱交換機は、
室内空気が流動する第１流路と、室外空気が流動する第２流路とが層別に交互に位置するように所定の距離離隔した状態で配置される多数個のプレート；
前記室外及び室内空気の流動方向とそれぞれ平行に前記各層別に前記プレートの間に提供され、横断面が連続した多数個のフォルドからなる流動ガイドプレートを含めてなる請求項８記載の空気調和機。
【請求項１４】
前記各フォルドは、
左側の低点から中央の最高点まで延長される上向き傾斜部と、
前記中央の最高点から右側の低点まで延長される下向き傾斜部とを含めてなる 請求項１３記載の空気調和機。
【請求項１５】
前記第１熱交換機は、前記再生熱交換機と前記第１空気排出口との間に提供され、前記第２熱交換機は、前記再生熱交換機と前記第２空気排出口との間に提供される請求項１３記載の空気調和機。
【請求項１６】
前記第２熱交換機は前記再生熱交換機と隣接して設けられ、前記第１熱交換機は前記第１空気排出口と隣接して設けられる請求項１５記載の空気調和機。
【請求項１７】
前記第１送風ファンは前記再生熱交換機と前記第１熱交換機との間に提供され、前記第２送風ファンは前記第１空気吸入口と前記再生熱交換機との間に提供される請求項１５記載の空気調和機。
【請求項１８】
前記圧縮機は前記空気排出流路内に第２空気排出口に隣接するように提供される請求項１５記載の空気調和機。
【請求項１９】
前記ケースは、
前記第１及び第２熱交換機の下側と対応する位置の底面にそれぞれ凹んで形成される凝縮水受け溝；
前記各凝縮水受け溝を連結する排水チャンネル；
前記排水チャンネルの底面に提供されるドレインをさらに含めてなる請求項６記載の空気調和機。
【請求項２０】
前記各凝縮水受け溝の底面は、凝縮水が前記排水チャンネル側に流動するように傾斜して形成される請求項１９記載の空気調和機。
【請求項２１】
前記排水チャンネルは、前記各凝縮水受け溝の一端部、又は両端部を連結するように提供される請求項１９記載の空気調和機。
【請求項２２】
前記排水チャンネルの底面は、凝縮水が前記ドレイン側に流動するように傾斜して形成される請求項１９記載の空気調和機。
【請求項２３】
前記ドレインは室外空間と隣接した側に提供される請求項２２記載の空気調和機。
【請求項２４】
前記空気吸入口は、前記空気吸入流路と室内空間とを連通させる第３空気吸入口をさらに含めてなる請求項８記載の空気調和機。
【請求項２５】
前記第３空気吸入口は、前記再生熱交換機と前記第１空気排出口との間に提供される請求項２４記載の空気調和機。
【請求項２６】
前記第３空気吸入口は、前記ケースの底面に提供される 請求項２５記載の空気調和機。
【請求項２７】
前記空気調和機は、
前記第３空気吸入口と前記空気吸入流路を選択的に開閉するように、前記ケース内に提供される流路開閉装置をさらに含めてなる請求項２４記載の空気調和機。
【請求項２８】
前記流路開閉装置は、
前記再生熱交換機と前記第３空気吸入口との間の前記ケースの底面にヒンジ結合される開閉用パネル；
前記ケース内に提供される駆動装置；
前記駆動装置の作動にしたがって前記開閉用チャンネルが前記第３空気吸入口と前記空気吸入流路を選択的に開閉できるように、前記駆動装置と前記開閉用パネルとを連結するリンケージを含めてなる請求項２７記載の空気調和機。
【請求項２９】
前記駆動装置は、回転軸が時計及び反時計方向に回転可能なモーターからなる請求項２８記載の空気調和機。
【請求項３０】
前記圧縮機、第１及び第２蒸発機、第１及び第２送風ファン、そして、前記再生熱交換機は、前記ケースの側面でスライディングするように挿入された後、固定、或いは脱去される請求項８記載の空気調和機。
【請求項３１】
前記圧縮機と第１及び第２熱交換機とを連結する冷媒管と配線は、前記ケースの第１側面に隣接して配置される請求項３０記載の空気調和機。
【請求項３２】
前記圧縮機と第１及び第２熱交換機は前記第１側面を介して挿入、或いは脱去され、前記再生熱交換機と前記第１及び第２送風ファンは、前記第１側面と向き合う第２側面を介して挿入、或いは脱去される請求項３１記載の空気調和機。
【請求項３３】
前記ダクトは、前記空気吸入流路と空気排出流路とが交差する角部に提供され、前記再生熱交換機の挿入及び脱去を案内する第１スライディングガイドをさらに含めてなる請求項３０記載の空気調和機。
【請求項３４】
前記圧縮機の下部には前記圧縮機が固定されるベースプレートが提供され、前記空気排出流路のある部分のケースの底面には、前記ベースプレートが側面を介して挿入、或いは脱去されるように前記ベースプレートを収容する第２スライディングガイドが提供される請求項３０記載の空気調和機。
【請求項３５】
前記第２スライディングガイドは前記空気排出流路のある部分のケースの底面に提供される請求項３０記載の空気調和機。
【請求項３６】
前記空気調和機は、
前記第２熱交換機が前記ケースの側面を介して挿入、或いは脱去されるように前記再生熱交換機と前記第２空気排出口との間に提供される第３スライディングガイド；
前記第１熱交換機が前記ケースの側面を介して挿入、或いは脱去されるように前記再生熱交換機と前記第１空気排出口との間に提供される第４スライディングガイドをさらに含めてなる請求項３０記載の空気調和機。
【請求項３７】
前記第３及び第４スライディングガイドの間の空間に対応する前記ケースの底面には凝縮水受け溝が凹んでいる請求項３６記載の空気調和機。
【請求項３８】
前記空気調和機は、
前記第２送風ファンが前記ケースの側面を介して挿入、或いは脱去されるように前記再生熱交換機と前記第１空気吸入口との間に提供される第５スライディングガイド；
前記第１送風ファンが前記ケースの側面を介して挿入、或いは脱去されるように前記再生熱交換機と前記第１空気排出口との間に提供される第６スライディングガイドをさらに含めてなる請求項３０記載の空気調和機。
【請求項３９】
前記第１及び第２送風ファンは、
中心部に空気が通過するように提供されるオリフィスを含み、
前記第５及び第６スライディングガイドにそれぞれ挿入装着されるボディーと、
回転軸が前記オリフィスに位置するように提供されるモーターと、
前記回転軸に結合して回転するブレードアセンブリとを含めてなる請求項３８記載の空気調和機。
【請求項４０】
前記第１及び第２熱交換機は、ピンの外部の周縁を包むように提供されるジグを含めてなる請求項６記載の空気長和機。
【請求項４１】
前記ジグは、一サイドが開放されたフレーム状からなり、前記第１又は第２熱交換機の残りサイドを包むように設けられる請求項４０記載の空気調和機。
【請求項４２】
前記ジグは、前記第１又は第２熱交換機の両側面で周縁部をそれぞれ包むように結合する一対のジグボディー；
前記一対のジグボディーを相互に連結するヒンジを含めてなる請求項４０記載の空気調和機。
【請求項４３】
前記ヒンジは前記開放されたサイドと向き合うサイドに提供される請求項４２記載の空気調和機。
【請求項４４】
前記ジグボディーは締結部材によって前記熱交換機に堅固に固定される請求項４２記載の空気調和機。
【請求項４５】
前記締結部材は前記開放されたサイドと隣接した前記ジグボディーの端部にそれぞれ提供される請求項４４記載の空気調和機。
【請求項４６】
前記ジグボディーは、前記第１又は第２熱交換機から発生する凝縮水を下側の空間に排出するために、下側のサイドに提供される少なくとも一つ以上の排水ホールを含めてなる請求項４２記載の空気調和機。
【請求項４７】
前記ケースは前記排水ホールから落ちる凝縮水を貯蔵するための凝縮水受け溝をさらに含めてなる請求項４６記載の空気調和機。
【請求項４８】
前記ジグは、前記下側サイドに提供され、前記排水ホールから落ちる凝縮水を貯蔵する凝縮水容器をさらに含めてなる請求項４６記載の空気調和機。
【発明の詳細な説明】
【技術分野】
【０００１】
本発明は空気調和機に関し、特に、室内空間を冷／暖房しながら同時に換気が可能な空気調和機に関する。
【背景技術】
【０００２】
図１６は一つのシステムで室内を冷房又は暖房する一般的な空気調和システムを示す。図１６を参照すると、一般的な空気調和システムは、圧縮機１、流路制御バルブ２、室外熱交換機３、膨張装置５、そして、室内熱交換機４を含めてなる。前記室外熱交換機３の付近には室外ファン３ａが設けられ、前記室内熱交換機４の付近には室内ファン４ａが設けられる。
【０００３】
かかる構造を有する空気調和システムは、圧縮機１から吐き出された気体状態の冷媒の流動経路を前記流路制御バルブ２が制御し、これにより室内熱交換機４が設けられた室内空間が冷房或いは暖房される。
以下、前記空気調和システムが室内空間を冷媒または暖房する過程を説明する。
【０００４】
まず、前記空気調和システムが室内空間を冷房する過程は次の通りである。
室内空間を冷房する運転で前記流路制御バルブ２は、圧縮機１から吐き出された気体状態の冷媒を室外熱交換機３に案内する。室外熱交換機３で気相冷媒は、前記室外ファン３ａにより送風された空気と熱交換しながら凝縮し、液相状態となる。この際、前記室外熱交換機３は凝縮機として機能し、周辺に凝縮熱を放出する。室外熱交換機３で凝縮した液相冷媒は膨張装置５に移送され、低温低圧で膨張した後、室内熱交換機４内で気化する。したがって、前記室内熱交換機は蒸発器として機能する。この際、気化する冷媒は前記室内熱交換機４の周辺から気化熱を吸収するので、前記室内熱交換機４の周辺の空気は冷却される。このように冷却された空気を前記室内ファン４ａが室内空間に吐き出して、室内空間を冷房する。
室内熱交換機４から気化した冷媒は再び圧縮機１に流入し、上記の過程を繰り返しながら室内空間を持続的に冷房する。
【０００５】
次に、前記空気調和システムが室内空間を暖房する過程は次の通りである。
室内空間を暖房する運転で、前記流路制御バルブ２は圧縮機１から吐き出された気相冷媒を前記室内熱交換機４に案内する。室内熱交換機４に流入した気相冷媒は前記室内ファン４ａにより送風される室内空気と熱交換しながら凝縮され、液相状態となる。この際、前記室内熱交換機４は凝縮機として機能し、周辺に凝縮熱を発散する。このように室内熱交換機４から発散した熱を前記室内ファン４ａが室内空間に吐き出して室内空間を暖房する。室内熱交換機４を経由した液相冷媒は膨張装置５で低温低圧で膨張した後、室外熱交換機３に流入する。室外熱交換機３で前記冷媒は気化しながら周囲の熱を吸収する。
したがって、前記室外熱交換機３は蒸発機として機能する。室外熱交換機３で気化した冷媒は再び圧縮機１に流入した後、上記の過程を繰り返しながら室内空間を持続的に暖房する。
【発明の開示】
【発明が解決しようとする課題】
【０００６】
しかしながら、かかる従来の一般的な空気調和システムは、冷媒の凝縮熱及び気化熱を室内空間に吐き出して、室内空間を暖房または冷房するが、室内空気を冷却又は加熱して、室内空間に繰り返し循環させるので、 空気調和システムが稼動した後一定の時間が経過すると、室内空気が汚染し、乾燥するという問題がある。
【０００７】
一方、上記のように室内空気が汚染されたり乾燥したりすることでユーザーが不快感を感じると、ユーザーは窓を開けて換気をする。この際、室外空気と温度差の大きい室内空気が直ぐに外部に排出されるので、エネルギーの損失が大きい。そして、換気後には再び一定の温度に至るまで室内空間を冷房又は暖房しなければならないので、消費電力が大きく増加するという問題がある。
【０００８】
そこで、本発明の目的は、室内空間を冷房または暖房しながら同時に換気が可能であり、換気時に熱エネルギーの浪費を防止できる空気調和システム及び、これを用いた空気調和機を提供することにある。
【０００９】
本発明の他の目的として、空気調和機の熱交換機で発生する凝縮水を容易に排出できる構造を提供する。
【００１０】
本発明のまた他の目的として、空気調和機に設けられる各部品を容易に組み立てられる構造を提供する。
【００１１】
本発明のさらにまた他の目的として、空気調和機に設けられる熱交換機の運搬及び設置時における熱交換機の損傷を防止できる構造を提供する。
【課題を解決するための手段】
【００１２】
上記目的を達成するための本発明の空気調和システムの一形態によれば、圧縮機；前記圧縮機から吐き出された冷媒の流動経路を各運転モードにしたがって転換して案内する流路制御バルブ；前記流路制御バルブの各アウトレットと連結され、冷媒をそれぞれ凝縮するか蒸発させる第１及び第２熱交換機；前記第１及び第２熱交換機を連結する冷媒管に提供され、前記第１及び第２熱交換機のうち一方から吐き出された冷媒を膨張させる膨張装置；室外空気を前記第１熱交換機を経由させて室内に吐き出す第１送風ファン；室内空気を前記第２熱交換機を経由させて室外に吐き出す第２送風ファン；前記第１及び第２送風ファンによりそれぞれ送風される室外空気と、室内空気とを間接的に相互熱交換させる再生熱交換機を含めてなることを特徴とする。
【００１３】
前記再生熱交換機は、それぞれが所定の距離離隔して配置され、内部に前記室内空気が流動する第１流路；前記各第１流路の間に接触して配置され、内部に前記室外空気が流動する第２流路を含めてなる。
【００１４】
前記再生熱交換機は、流動する室外空気と室内空気とが互いに交差する地点に提供され、ここで、前記再生熱交換機は、前記室外空気と室内空気とが層別に交互に流動できるように所定の距離離隔した状態で配置される多数個のプレート；前記室外及び室内空気の流動方向とそれぞれ平行に前記各層別に前記プレートの間に提供され、横断面が連続した多数個のフォルドからなる流動ガイドプレートを含めてなる。ここで、前記各フォルドは、左側の低点から中央の最高点まで延長される上向き傾斜部と、前記中央の最高点から右側の低点まで延長される下向き傾斜部とを含めてなる。一方、前記室外空気と室内空気とはほぼ垂直に交差して流動することが好ましい。
【００１５】
一方、上記目的を達成するための本発明の空気調和システムの他の一形態によれば、内部に相互交差して提供される空気吸入及び排出流路と、前記各空気吸入及び排出流路の各端部に提供される多数個の空気吸入口及び排出口とを含めてなるケース；前記空気吸入及び排出流路の交差地点に提供され、前記空気吸入及び排出流路を介してそれぞれ流動する室外及び室内空気を間接的に熱交換させる再生熱交換機；前記ケースの内部に提供される圧縮機；前記圧縮機から吐き出された冷媒の流動経路を各運転モードにしたがって転換して案内する流路制御バルブ；前記流路制御バルブの各アウトレットと連結され、前記空気吸入及び排出流路にそれぞれ提供され、前記流路制御バルブから案内された冷媒をそれぞれ凝縮するか蒸発させる第１及び第２熱交換機；前記第１及び第２熱交換機を連結する冷媒管に提供され、前記第１及び第２熱交換機のうち何れか一方から吐き出された冷媒を膨張させる膨張装置；前記空気吸入流路に提供され、室外空気を前記第１熱交換機を経由させて室内に吐き出す第１送風ファン；前記空気排出流路に提供され、室内空気を前記第２熱交換機を経由させて室外に吐き出す第２送風ファンを含めてなることを特徴とする。
【００１６】
ここで、前記空気吸入流路及び排出流路は前記ケース内に交差した形態で設けられるダクトにより提供される。
【００１７】
前記空気吸入口は、前記空気排出流路と室内空間とを連通させる第１空気吸入口と、前記空気吸入流路と室外空間とを連通させる第２空気吸入口とを含めてなり、前記空気排出口は、前記空気吸入流路と室内空間とを連通させる第１空気排出口と、前記空気排出流路と室外空間とを連通させる第２空気排出口とを含めてなる。ここで、前記第１空気吸入口と前記第１空気排出口は、ケースの外面のうち互いに異なる方向に向かうように傾斜して形成された二つの面にそれぞれ形成されえる。
【００１８】
前記ケースは、空気の吐き出し方向を調節できるように前記第１空気排出口に回転可能に提供される多数個のルーバーをさらに含めてなる。
【００１９】
前記空気調和機で、前記再生熱交換機は、それぞれが所定の距離離隔して配置され、内部に前記室内空気が流動する第１流路、前記各第１流路の間に接触して配置され、内部に前記室外空気が流動する第２流路を含めてなる。ここで、前記再生熱交換機内で前記室内及び室外空気はほぼ相互に垂直な方向に流動することが好ましい。
【００２０】
前記再生熱交換機は、室内空気が流動する第１流路と、室外空気が流動する第２流路とが層別に交互に位置するように所定の距離離隔した状態で配置される多数個のプレート；前記室外及び室内空気の流動方向とそれぞれ平行に前記各層別に前記プレートの間に提供され、横断面が連続した多数個のフォルドからなる流動ガイドプレートを含めてなる。ここで、前記各フォルドは、左側の低点から中央の最高点まで延長される上向き傾斜部と、前記中央の最高点から右側の低点まで延長される下向き傾斜部とを含めてなる。
【００２１】
一方、前記第１熱交換機は前記再生熱交換機と前記第１空気排出口との間に提供され、前記第２熱交換機は前記再生熱交換機と前記第２空気排出口との間に提供される。そして、前記第２熱交換機は前記再生熱交換機と隣接して設けられ、前記第１熱交換機は前記第１空気排出口と隣接して設けられる。
【００２２】
前記第１送風ファンは前記再生熱交換機と前記第１熱交換機との間に提供され、前記第２送風ファンは前記第１空気吸入口と前記再生熱交換機との間に提供される。そして、前記圧縮機は前記空気排出流路内に第２空気排出口に隣接して提供される。
【００２３】
前記ケースは、前記第１及び第２熱交換機の下側と対応する位置の底面にそれぞれ凹んで形成される凝縮水受け溝；前記各凝縮水受け溝を連結する排水チャンネル；前記排水チャンネルの底面に提供されるドレインをさらに含めてなる。この際、前記各凝縮水受け溝の底面は、凝縮水が前記排水チャンネル側に流動するように傾斜して形成される。そして、前記排水チャンネルは、前記各凝縮水受け溝の一端部、又は両端部を連結するように提供される。
また、前記排水チャンネルの底面は、凝縮水が前記ドレイン側に流動するように傾斜して形成される。ここで、前記ドレインは室外空間と隣接した側に提供される。
【００２４】
一方、前記空気吸入口は、前記空気吸入流路と室内空間とを連通させる第３空気吸入口をさらに含めてなる。前記第３空気吸入口は、前記再生熱交換機と前記第１空気排出口との間に提供されるが、前記第３空気吸入口は、前記ケースの底面に提供されることが好ましい。また、前記空気調和機は、前記第３空気吸入口と前記空気吸入流路を選択的に開閉するように前記ケース内に提供される流路開閉装置をさらに含めてなる。
【００２５】
ここで、前記流路開閉装置は、前記再生熱交換機と前記第３空気吸入口との間の前記ケースの底面にヒンジ結合される開閉用パネル；前記ケース内に提供される駆動装置；前記駆動装置の作動にしたがって前記開閉用チャンネルが前記第３空気吸入口と前記空気吸入流路を選択的に開閉できるように、前記駆動装置と前記開閉用パネルとを連結するリンケージを含めてなる。そして、前記駆動装置は、回転軸が時計及び反時計方向に回転可能なモーターからなる。
【００２６】
一方、前記空気調和機で、前記圧縮機、第１及び第２蒸発機、第１及び第２送風ファン、そして、前記再生熱交換機は、前記ケースの側面でスライディングするように挿入された後、固定、或いは脱去される。ここで、前記圧縮機と第１及び第２熱交換機とを連結する冷媒管と配線は、前記ケースの第１側面に隣接して配置される。そして、前記圧縮機と第１及び第２熱交換機は前記第１側面を介して挿入、或いは脱去され、前記再生熱交換機と前記第１及び第２送風ファンは、前記第１側面と向き合う第２側面を介して挿入、或いは脱去される。
【００２７】
このために、前記ダクトは、前記空気吸入流路と空気排出流路とが交差する角部に提供され、前記再生熱交換機の挿入及び脱去を案内する第１スライディングガイドをさらに含めてなる。
【００２８】
そして、前記圧縮機の下部には前記圧縮機が固定されるベースプレートが提供され、前記空気排出流路のある部分のケースの底面には、前記ベースプレートが側面を介して挿入、或いは脱去されるように前記ベースプレートを収容する第２スライディングガイドが提供される。ここで、前記第２スライディングガイドは前記空気排出流路のある部分のケースの底面に提供される。
【００２９】
また、前記空気調和機は、前記第２熱交換機が前記ケースの側面を介して挿入、或いは脱去されるように前記再生熱交換機と前記第２空気排出口との間に提供される第３スライディングガイド；そして、前記第１熱交換機が前記ケースの側面を介して挿入、或いは脱去されるように前記再生熱交換機と前記第１空気排出口との間に提供される第４スライディングガイドをさらに含めてなる。
ここで、前記第３及び第４スライディングガイドの間の空間に対応する前記ケースの底面には凝縮水受け溝が凹んでいる。
【００３０】
前記空気調和機は、前記第２送風ファンが前記ケースの側面を介して挿入、或いは脱去されるように前記再生熱交換機と前記第１空気吸入口との間に提供される第５スライディングガイド；前記第１送風ファンが前記ケースの側面を介して挿入、或いは脱去されるように前記再生熱交換機と前記第１空気排出口との間に提供される第６スライディングガイドをさらに含めてなる。ここで、前記第１及び第２送風ファンは、中心部に空気が通過するように提供されるオリフィスを含み、前記第５及び第６スライディングガイドにそれぞれ挿入装着されるボディーと、回転軸が前記オリフィスに位置するように提供されるモーターと、前記回転軸に結合して回転するブレードアセンブリとを含めてなる。
【００３１】
一方、前記空気調和機で、前記第１及び第２熱交換機は、ピンの外部の周縁を包むように提供されるジグを含めてなる。ここで、前記ジグは、一サイドが開放されたフレーム状からなり、前記第１又は第２熱交換機の残りサイドを包むように設けられる。このような前記ジグは、前記第１又は第２熱交換機の両側面で周縁部をそれぞれ包むように結合する一対のジグボディー；前記一対のジグボディーを相互に連結するヒンジを含めてなる。前記ヒンジは前記開放されたサイドと向き合うサイドに提供される。
【００３２】
そして、前記ジグボディーは締結部材によって前記熱交換機に堅固に固定されるが、前記締結部材は前記開放されたサイドと隣接した前記ジグボディーの端部にそれぞれ提供される。
【００３３】
一方、前記ジグボディーは、前記第１又は第２熱交換機から発生する凝縮水を下側の空間に排出するために、下側のサイドに提供される少なくとも一つ以上の排水ホールを含めてなる。この際、前記ケースは前記排水ホールから落ちる凝縮水を貯蔵するための凝縮水受け溝をさらに含めてなり、前記ジグは、前記下側サイドに提供され、前記排水ホールから落ちる凝縮水を貯蔵する凝縮水容器をさらに含めてなる。
【発明の効果】
【００３４】
以下に説明するように、本発明による空気調和機は次のような効果がある。
【００３５】
第一に、必要に応じて、冷房又は暖房を行いながら同時に室内空間を換気することができ、空気調和機を長時間稼動しても室内空気が汚染されたり乾燥したりすることを防止できる。
【００３６】
第二に、前記再生熱交換機を介して室内空気の熱エネルギーの一部を回収できるので、換気時に発生するエネルギーの消耗を減少させえる。
【００３７】
第三に、前記第１及び第２熱交換機から生成される凝縮水を迅速に外部に排出することで、凝縮水が空気調和機内に溜まることを防止できる。
【００３８】
第四に、殆どの部品をケースの側面を通じてスライディングさせ着脱可能なので非常に便利である。これにより、故障の修理及び部品の交替が容易になるので、維持且つ補修が非常に容易である。
【００３９】
第五に、冷媒が循環する圧縮機やその他の部品を脱去しないまま希望の部品のみを脱去させられるので、周期的に掃除すべき部品を容易に掃除できる。これにより、空気調和機をきれいな状態で長時間稼働可能である。
【００４０】
第六に、前記ジグが熱交換機の周縁を保護するので、熱交換機のフィンが損傷することを防止できる。
【００４１】
第七に、前記ジグが前記ケース及び、ダクトの内面に密着するように提供されるので、前記ダクトを介して流動する全空気が各熱交換機と熱交換され、熱交換の効率が向上する。
【００４２】
第八に、衝撃や振動による前記熱交換機の揺れを防止することで故障を予防することができる。
【発明を実施するための最良の形態】
【００４３】
以下、本発明の実施形態を添付の図面に基づいて詳細に説明する。
【００４４】
図１は本発明による空気調和システムを簡略に示す構成図であり、図２は図１の空気調和システムで再生熱交換機の一部の構造を示す斜視図である。これらの図面に基づいて本発明による空気調和システムについて説明する。
【００４５】
図１を参照すると、圧縮機１１のアウトレットには流路制御バルブ１２が連結される。前記流路制御バルブ１２は二つのアウトレットを有し、前記流路制御バルブ１２の各アウトレットには第１熱交換機１４と第２熱交換機１３とがそれぞれ連結される。そして、前記第１熱交換機１４と第２熱交換機１３は冷媒管により連結されるが、前記冷媒管には膨張装置１５が提供される。
第１送風ファン１７は前記第１熱交換機１４を経由させ、室外空気を室内空間に排出するように提供される。そして、第２送風ファン１６は前記第２熱交換機１３を経由させ、室内空気を室外空間に排出するように提供される。
ここで、前記第１送風ファン１７と第２送風ファン１６は軸流ファンに限定されず、多様な種類のファンが提供されえる。
【００４６】
一方、再生熱交換機２０は前記第１送風ファン１７と第２送風ファン１６によりそれぞれ送風される室外空気と室内空気とが相互に交差する地点に提供される。前記再生熱交換機２０は、前記第１送風ファン１７と第２送風ファン１６によってそれぞれ送風される室外空気と室内空気とを間接的に相互に熱交換して、室外に排出される室内空気の熱エネルギーを、室内に供給される室外空気に供給する。
【００４７】
前記空気調和システムで、前記再生熱交換機２０は、前記室内空気が流動する第１流路２２と、前記室外空気が流動する第２流路２３を提供する。ここで、前記各第１流路２２は所定の距離離隔して配置され、前記第２流路２３が前記第１流路２２と接触するように前記第１流路２２の間に配置される。さらに具体的に説明すると、前記第１流路２２と第２流路２３は多数個の層を形成するように所定の距離離隔した状態で配置される多数個のプレート２１の間にそれぞれ提供される。即ち、前記第１流路２２と第２流路２３は、前記プレート２１により形成される各層別に交互に提供される。ここで、前記プレート２１は、前記室内及び室外空気が流動する方向と平行に提供される。
【００４８】
一方、前記プレート２１の間には前記室内空気と室外空気とが相互に混ざらず、それぞれ自身の流動方向に流れえるように流動方向を案内する流動ガイドプレート２４が提供される。前記流動ガイドプレート２４の横断面は、図２に示すように、連続した多数個のフォルドからなる。ここで、前記フォルドは、上向き傾斜部２４ａと下向き傾斜部２４ｂとを含めてなる。前記上向き傾斜部２４ａは、左側低点から中央の最高点まで延長される。そして、前記下向き傾斜部２４ｂは前記中央の最高点から右側の低点まで延長される。ここで、前記中央の最高点は上側に配置されたプレートの底面と接触し、前記左側及び右側の低点は下側に配置されたプレートの上面と接触する。
【００４９】
上記のように構成された再生熱交換機２０で第１流路２２と第２流路２３との中をそれぞれ流動しながら間接的に熱交換する室内及び室外空気は、ほぼ垂直に交差するように流動することが好ましい。このために、前記第１流路２２に提供される流動ガイドプレートと、前記第２流路２３に提供される流動ガイドプレートは、図２に示すように、相互に垂直に交差するように設けられる。
そして、前記再生熱交換機２０で前記プレート２１は、熱伝導性に優れた材質、例えば、アルミニウム又は、銅などの材質からなるのが好ましい。
すると、室内空気と室外空気が前記第１流路２２と第２流路２３をそれぞれ通過する間に熱交換能力が向上し、これにより、エネルギーの損失を減らせる。
【００５０】
一方、前記再生熱交換機２０は、上記の構造に限られず、再生熱交換機の内部で室内及び室外空気が相互に混ざらず、間接的に相互に熱交換できる構造であれば何れも可能である。
【００５１】
以下では上記のような構成を有する空気調和システムの作用を簡略に説明する。
【００５２】
圧縮機１１が作動すると、圧縮機１１で圧縮された気体状態の冷媒は前記流路制御バルブ１２に流入する。前記流路制御バルブ１２では空気調和システムの運転モードにしたがって前記冷媒を第１熱交換機１４又は、第２熱交換機１３に選択的に流入する。
【００５３】
まず、 空気調和システムが室内空間を冷房する場合、前記冷媒は第２熱交換機１３に流入する。第２熱交換機１３で前記冷媒は前記第２送風ファン１６により送風された室内空気と熱交換しながら凝縮され液化する。
前記第２熱交換機１３で液化した冷媒は膨張装置１５で膨張した後、前記第１熱交換機１４に流入する。前記第１熱交換機１４で前記冷媒は気化しながら周囲の熱を吸収する。この際、前記第１送風ファン１７は外部空気を導入して前記第１熱交換機１４を経由させた後、室内空間に吐き出すので、前記室外空気は前記第１熱交換機１４と熱交換しながら冷却した後、室内空間に吐き出されて室内空間が冷房される。
【００５４】
上記の過程を行なう間、前記第１送風ファン１７により室内に流入する室外空気は、前記再生熱交換機２０を経由しながら、前記室外空間に排出される室内空気と間接的に熱交換する。即ち、室内空気は第１流路２２を介して室外に排出され、室外空気は第２流路２３を介して室内に流入するが、この際、前記プレート２１を介して前記室内空気と室外空気とは間接的に相互に熱交換する。
【００５５】
一方、前記再生熱交換機２０で前記流動ガイドプレート２４は、前記室内又は室外空気の流動方向を案内するだけでなく、前記室内又は室外空気との接触面積を広げて熱交換性能を向上させる役割も行なう。したがって、上記のように再生熱交換機２０を用いると、外部に排出される室内空気の熱エネルギーが前記室内空間に供給される室外空気に供給されるので、熱損失を効果的に低減させる。
【００５６】
一方、室内空間を暖房する場合、前記冷媒は前記流路制御バルブ１２から前記第１熱交換機１４に流入する。第１熱交換機１４では第１送風ファン１７により導入された外部空気と熱交換しながら冷媒が凝縮する。この際、第１熱交換機１４は周囲に凝縮熱を発散するので、室内の空間には温まった室外空気が流入する。第１熱交換機１４から凝縮した冷媒は膨張装置１５と第２熱交換機１３を経由した後、圧縮機１１に再び流入する。この場合にも、前記室内空気の熱エネルギーは前記再生熱交換機２０内から前記室外空気に伝達されるので、エネルギーの損失を低減することができる。
【００５７】
上記のように、本発明による空気調和システムは、室外空気を導入して室内空間を冷房又は暖房し、室内空気を室外に排出するため、冷房又は暖房と同時に室内空間を換気できる。また、再生熱交換機２０を用いて室外に排出される室内空気の熱エネルギーを室内に供給される室外空気に伝達することで、換気時に発生する熱エネルギーの損失は顕著に低減される。
【００５８】
一方、本発明では、上記の空気調和システムが具体的に適用された空気調和機を共に提供する。以下では添付の図面を参照して本発明による空気調和機の構造について説明する。ここで、図３は本発明による空気調和機の一実施形態の内部構成を示す斜視図である。
【００５９】
図３を参照すると、ケース３０の内部には相互に交差する空気吸入流路３３と空気排出流路３２が提供される。ここで、前記空気吸入及び排出流路３３，３２はダクト３１により形成される。このために、前記ダクト３１は、図３に示すように、２つの互いに異なる流路、つまり、前記空気吸入流路３３と前記空気排出流路３２とが相互に交差する形状を有する。前記ダクト３１により形成される空気吸入流路３３と前記空気排出流路３２の各端部は、前記ケース３０の各サイドの内面まで形成される。そして、前記ケース３０の各サイドの内面には前記空気吸入流路３３、及び前記空気排出流路３２の各端部を室内空間、又は室外空間と連通させる多数個の空気吸入口と空気排出口がそれぞれ提供される。
【００６０】
第１空気吸入口３２ａは前記空気排出流路３２と室内空間とを連通するように提供され、第２空気吸入口３３ａは前記空気吸入流路３３と室外空間とを連通するように提供される。そして、第１空気排出口３３ｂは前記空気吸入流路３３と室内空間とを連通するように提供され、前記第２空気排出口３２ｂは前記空気排出流路３２と室外空間とを連通させるように提供される。ここで、室内空間に位置する前記第１空気吸入口３２ａと、前記第１空気排出口３３ｂは、ケース３０の外面のうち互いに異なる方向に向かうように傾斜して形成された２つの互いに異なる面にそれぞれ提供される。例えば、図３に示すように、前記第１空気排出口３３ｂは、室内空間に位置するケース３０の垂直な面に提供され、前記第１空気吸入口３２ａは室内空間に位置し、前記垂直な面から傾斜して延長された傾斜面に提供される。
【００６１】
前記第１空気吸入口３２ａと前記第１空気排出口３３ｂが上記のように互に異なる方向に向かうように提供されると、前記第１空気排出口３３ｂを介して排出された室外空気が前記第１空気吸入口３２ａに直ぐに流入することを効率よく防止することができる。一方、前記ケース３０で前記第１空気排出口３３ｂには空気の排出方向を調整可能なルーバーが提供される。
【００６２】
前記ダクト３１で前記空気吸入流路３３と前記空気排出流路３２とが相互に交差する部分には再生熱交換機２０が提供される。本発明による空気調和機で前記再生熱交換機２０の構造は図１で説明したものと同様であるので、その詳細な説明は省略する。但し、前記再生熱交換機２０の第１流路２２は前記空気排出流路３２と連通し、室内空気が前記第１流路２２を介して外部に排出される。そして、前記再生熱交換機２０の第２流路２３は前記空気吸入流路３３と連通し、室外空気が前記第２流路２３を介して室内空間に流入する。
【００６３】
第１熱交換機１４は、前記空気吸入流路３３内、より詳細には、前記再生熱交換機２０と前記第１空気排出口３３ｂとの間に提供される。このような第１熱交換機１４は、前記第１空気排出口３３ｂと隣接して配置される。
第２熱交換機１３は前記空気排出流路３２内に、より詳細には、前記再生熱交換機２０と前記第２空気排出口３２ｂとの間に提供される。このような第２熱交換機１３は、前記再生熱交換機２０と隣接して配置されるが、例えば前記再生熱交換機２０と隣接して配置され、前記ダクト３１に固定される。上記のように第２熱交換機１３が前記再生熱交換機２０に隣接して配置されると、室内空気が前記再生熱交換機２０を経由した後、直ぐに前記第２熱交換機１３を経由するので、空気の流動抵抗を減少させえる。
【００６４】
圧縮機１１は前記ケース３０の内部のうち前記空気排出流路３２内、より詳細には、前記第２熱交換機１３と前記第２空気排出口３２ｂとの間に提供される。このような圧縮機１１は、例えば、図３に示すように、前記第２空気排出口３２ｂと隣接して配置される。流路制御バルブは、図示してはいないが、前記圧縮機１１のアウトレットと連結されるように前記ケース３０内に提供される。前記流路制御バルブは２つのアウトレットを有し、前記各アウトレットは前記第１熱交換機１４と前記第２熱交換機１３とにそれぞれ連結される。
そして、膨張装置（図示せず）は前記第１熱交換機１４と第２熱交換機１３とを連結する冷媒管に提供される。
【００６５】
第１送風ファン１７は前記空気吸入流路３３内、より詳細には、前記再生熱交換機２０と前記第１熱交換機１４との間に提供される。このように提供された第１送風ファン１７は、前記第２空気吸入口３３ａから外部の空気を吸入した後に前記第１空気排出口３３ｂを介して室内空間に吐き出す。この際、前記第２空気吸入口３３ａに流入した室外空気は、前記再生熱交換機２０の第２流路２３と前記第１送風ファン１７、そして、前記第１熱交換機１４を経由した後に室内空間に吐き出される。第２送風ファン１６は、図３に示すように、前記空気排出流路３２内、より詳細には、前記再生熱交換機２０と前記第１空気吸入口３２ａとの間に提供される。このように提供された第２送風ファン１６は、前記第１空気吸入口３２ａから室内空気を吸入した後に、前記第２空気排出口３２ｂを介して室外空間に吐き出す。この際、前記第１空気吸入口３２ａに流入した室内空気は、再生熱交換機２０、第２熱交換機１３、そして、圧縮機１１を順次に経由した後に室外空間に吐き出される。
【００６６】
上記の構造を有する空気調和機が作動すると、前記第１熱交換機１４と第２熱交換機１３のうち何れか一方では冷媒が気化しながら周辺の熱を吸収する。
このように周辺の熱を吸収する熱交換機の外面には露が生成され、前記露が次第に大きくなるに伴い、多量の凝縮水が前記熱交換機の下側に落下する。前記空気調和機が室内空間を冷房する運転を行うときには前記第１熱交換機１４で凝縮水が発生し、室内空間を暖房する運転を行うときには前記第２熱交換機１３で凝縮水が発生する。したがって、上記のように第１又は第２熱交換機１４，１３で発生する凝縮水を効率よく外部に排出するための構造が要求される。
【００６７】
本発明による空気調和機では上記のように熱交換機で発生する凝縮水を効率よく排出するための構造を提供しており、以下では図３及び図４に基づいてこれを簡単に説明する。ここで、図４は図３の空気調和機で凝縮水の排水構造を示す斜視図である。
【００６８】
図３及び図４を参照すると、前記ケース３０の底面のうち前記第１熱交換機１４と第２熱交換機１３の下側と対応する位置には凝縮水受け溝３７がそれぞれ凹んでいる。そして、図４に示すように、凹んだ排水チャンネル３８が前記凝縮水受け溝３７を連結する。図４には前記排水チャンネル３８が前記凝縮水受け溝３７の一端部を相互に連結するように提供された例を示す。
しかしながら、これに限らず、前記排水チャンネル３８は、前記凝縮水受け溝３７の両端部を共に連結するか、中間部分を連結することもある。前記排水チャンネル３８の底面にはドレイン３８ａが提供される。前記ドレイン３８ａは前記ケース３０の内部空間と外部空間とを連通させる。このようなドレイン３８ａは、例えば、室外空間と隣接した側のケース３０の底面に提供される。
前記ドレイン３８ａには、図３及び図４に示すように、ケース３０の外部からドレインホース３９が連結される。前記ドレインホース３９は、前記第１又は第２熱交換機１３で発生した凝縮水を外部に排出する役割をする。
【００６９】
一方、前記空気調和機で、前記第１又は第２熱交換機１３で発生した凝縮水をより効果的にドレイン３８ａを介して排出するための構造が共に開示される。
このために、前記凝縮水受け溝３７は、前記凝縮水を前記排水チャンネル３８側に容易に流動させるように、その底面が傾斜して形成される。図４を参照すると、前記凝縮水受け溝３７の底面のうち前記排水チャンネル３８と連結される側端部の深さＤ4が、その反対側に位置した側端部の深さＤ3より深いことが分かる。凝縮水受け溝３７の底面が上記のように傾斜して提供されると、第１又は第２熱交換機１３で発生した後に凝縮水受け溝３７に落下した凝縮水が直ぐに前記排水チャンネル３８側に移動する。
【００７０】
一方、前記排水チャンネル３８の底面もまた凝縮水をドレイン３８ａ側に容易に流動させえるように傾斜して形成される。図４を参照すると、前記排水チャンネル３８の底面のうち前記ドレイン３８ａが形成された側端部の深さＤ2がその反対側に位置した端部の深さＤ1より深いことが分かる。排水チャンネル３８の底面が上記のように傾斜していると、前記凝縮水受け溝３７から流入した凝縮水が前記ドレイン３８ａ側に容易に流動する。
【００７１】
上記のような構造によって第１又は第２熱交換機１３で発生した凝縮水は前記凝縮水受け溝３７に落下した後、排水チャンネル３８とドレイン３８ａ、及びドレインホース３９を経由して迅速に外部に排出される。前記ドレインホース３９の端部には、図示してはいないが、凝縮水を臨時に貯蔵するタンクが提供される。
【００７２】
一方、本発明による空気調和機は、室外空気を導入せず、室内空気を循環し続けながら室内空間を冷房または暖房するように構成される。このために、前記ケース３０には前記空気吸入流路３３と前記室内空間とを連通させる第３空気吸入口３４がさらに提供される。また、前記第３空気吸入口３４と前記空気吸入流路３３、より詳細には、前記再生熱交換機２０の前記第２流路２３を選択的に開閉可能な流路開閉装置が提供される。以下ではこれについて説明する。
【００７３】
図３を参照すると、前記第３空気吸入口３４は、前記再生熱交換機２０と前記第１空気排出口３３ｂとの間に提供される。かかる第３空気吸入口３４は、前記第１空気排出口３３ｂと異なる方向に向かうように提供される。例えば、図３に示すように、前記第１空気排出口３３ｂが室内空間にある前記ケース３０の垂直な面に提供される場合、前記第３空気吸入口３４は前記垂直な面に垂直となる前記ケース３０の底面に提供される。
前記第３空気吸入口３４が上記のように提供されると、前記第１空気排出口３３ｂに吐き出された空気が直ぐに前記第３空気吸入口３４に流入することを効果的に防止できる。
【００７４】
図３を参照すると、前記第３空気吸入口３４と前記再生熱交換機２０との間に位置した前記ケース３０の底面には開閉用パネル３５がヒンジ結合される。
上記のように提供される開閉用パネル３５は、前記ケース３０内に提供される駆動装置によって前記第３空気吸入口３４と前記空気吸入流路３３、より詳細には、前記第２流路２３を選択的に開閉する。このために、前記開閉用パネル３５は、前記第３空気吸入口３４を全てカバー可能であり、かつ前記第２流路２３の端部を全てカバー可能な大きさからなる。
【００７５】
一方、前記駆動装置は、回転軸が時計方向と半時計方向に回転可能なモーター３６からなる。そして、前記開閉用パネル３５が前記駆動装置、例えば、前記モーター３６により動けるようにリンケージ３６ａが前記開閉用パネル３５と前記モーター３６の回転軸とを連結する。
【００７６】
上記のように提供された空気調和機が室内を換気せず、冷房又は暖房のみを行うときに前記流路開閉装置は前記第３空気吸入口３４を開放し、前記第２流路２３を閉鎖する。そして、前記空気調和機が室内を換気しながら同時に冷房又は暖房するときに、前記流路開閉装置は、前記第３空気吸入口３４を閉鎖し、前記第２流路２３を開放する。
【００７７】
一方、以下では上記のような構造を有する本発明による空気調和機の作動について図５及び図６に基づいて説明する。ここで、図５は図３の空気調和機が換気機能を共に行うときに空気の流動状態を示す斜視図であり、図６は図３の空気調和機が冷房又は暖房機能のみを行うときに空気の流動状態を示す斜視図である。
【００７８】
本発明による空気調和機は様々なモードで運転される。例えば、室内空間を換気しながら冷房する第１モード、室内空間を換気しながら暖房する第２モード、室内空間を暖房のみする第３モード、室内空間を暖房のみする第４モード、そして、室内空間を換気のみする第５モードがある。
以下ではこれらの運転モード別に例を挙げて説明する。
【００７９】
まず、前記空気調和機が室内空間を換気しながら冷房する第１モードに運転される場合、前記開閉用パネル３５は、図５に示すように、前記第３空気吸入口３４を閉鎖した状態を維持する。前記圧縮機１１から吐き出された冷媒は前記流路制御バルブに流入し、前記流路制御バルブは前記冷媒を前記第２熱交換機１３に案内する。前記第２熱交換機１３で凝縮した冷媒は膨張装置１５で膨張した後、第１熱交換機１４に流入する。第１熱交換機１４に流入した冷媒は気化しながら周囲の熱を吸収する。
【００８０】
一方、前記圧縮機１１の稼動と同時に前記第１送風ファン１７と第２送風ファン１６も回転する。したがって、室外空気は前記第２空気吸入口３３ａを介して空気吸入流路３３に流入し、再生熱交換機２０、第１送風ファン１７、そして、第１熱交換機１４を経由した後、前記第１空気排出口３３ｂを介して室内空間に吐き出される。この際、前記室外空気は、前記第１熱交換機１４と熱交換して、冷却状態で室内に吐き出されるので、室内空間は冷房される。この際、前記ルーバーの角度を調節して、冷たい空気の吐き出し方向を調節可能である。
【００８１】
一方、前記第１熱交換機１４で発生する凝縮水は前記凝縮水受け溝３７、排水チャンネル３８、ドレイン３８ａ、そして、ドレインホース３９を順次に経て、外部に排出される。
【００８２】
一方、第２送風ファン１６が回転するに伴い、室内空気は前記第１空気吸入口３２ａを介して空気排出流路３２に流入し、再生熱交換機２０の第１流路２２、第２熱交換機１３、そして、圧縮機１１を経て、前記第２空気排出口３２ｂを介して外部空間に吐き出される。この際、吐き出される冷たい室内空気は、前記再生熱交換機２０から室内に流入する室外空気と間接的に熱交換するので、室外に吐き出される室内空気の熱エネルギーは、室内に流入する室外空気に伝達される。したがって、前記室外空気は再生熱交換機２０を経由しながら第２空気吸入口３３ａを介して流入するときより低い温度となり、最終的に前記第１熱交換機１４を経由しながらさらに低い温度となる。
したがって、前記再生熱交換機２０によって高い熱エネルギーの回収効果が得られ、これにより、冷房性能も向上する。
【００８３】
本発明による空気調和機は、上記の過程を通じて室内空間を換気しながら同時に冷房することができる。したがって、前記空気調和機を長時間稼動して室内空間を冷房しても室内空気はきれいな状態で維持され、湿度も一定に維持することができる。
そして、上述したように、室内空間に流入する室外空気が前記再生熱交換機２０で冷却された後、前記第１熱交換機１４を経て再び冷却されるので、室内空間を換気させるときに発生する熱エネルギーの損失を効果的に減少させえる。
そして、底部が傾斜して形成された前記凝縮水受け溝３７と排水チャンネル３８が前記第１熱交換機１４で生成された凝縮水を外部に迅速に排出する。
【００８４】
次に、前記空気調和機が室内空間を換気しながら冷房する第２モードの場合を説明する。この場合にも前記開閉用パネル３５は、前記第３空気吸入口３４を閉鎖する状態を維持する。圧縮機１１で圧縮された冷媒は前記流路制御バルブによって前記第１熱交換機１４に案内される。第１熱交換機１４で前記冷媒は凝縮され液化し、前記第１熱交換機１４は周囲の空間に凝縮熱を発散する。
このように、第１熱交換機１４から発散した凝縮熱は前記第１送風ファン１７によって室内空間に吐き出される室外空気に伝達される。したがって、前記第１熱交換機１４により暖かくなった室外空気は室内空間を暖房する。
第１熱交換機１４で液化した冷媒は前記膨張装置１５と前記第２熱交換機１３を経由した後、圧縮機１１に再び流入する。
【００８５】
一方、圧縮機１１の稼動と同時に前記第１及び第２送風ファン１７，１６も共に回転する。したがって、室外空気は前記空気吸入流路３３を経て室内空間に吐き出され、室内空気は前記空気排出流路３２を経て室外空間に吐き出される。そして、前記室内空気と室外空気は前記再生熱交換機２０で相互に熱交換するので、前記室外空気は室内空気により温められ、その後、第１熱交換機１４により暖かくなった状態で室内空間に吐き出される。
前記空気調和機は上記の過程を通じて室内空間を換気しながら暖房することができ、この際、熱エネルギーの損失は最小化する。
【００８６】
一方、以下では図６に基づいて前記空気調和機が冷房又は暖房のみ行う第３又は第４モードについて簡略に説明する。
【００８７】
まず、第３モードで前記開閉用パネルは、図６に示すように、前記空気吸入流路３３、より詳細には、前記第２流路２３を閉鎖した状態を維持する。圧縮機１１から吐き出された冷媒は、前記流路制御バルブを経て前記第２熱交換機１３、膨張装置１５、そして、前記第１熱交換機１４を経由した後、前記圧縮機１１に再び流入する。この際、前記第１熱交換機１４で冷媒は気化しながら前記第１熱交換機１４の周囲の熱を吸収する。
【００８８】
前記第３モードで前記圧縮機１１の稼動と共に前記第１送風ファン１７が回転する。すると、図６に示すように、室内空気が前記第３空気吸入口３４を介して前記空気吸入流路３３内に流入する。そして、流入した空気は前記第１熱交換機１４と熱交換して冷却された後、前記第１空気排出口３３ｂを介して室内空間に吐き出される。第３モードで前記第２送風ファン１６は回転しない。
これにより、室内空気は前記空気排出流路３２を介して室外空間に吐き出されない。したがって、第３モードでは室内空気が外部に吐き出されるか、室外空気が室内空間に流入されない状態で室内空気が循環しながら冷房を行う。
【００８９】
一方、前記第３モードで前記空気排出流路３２には空気が流動しないので、前記圧縮機１１の過熱問題が引き起こされえる。しかしながら、本発明による空気調和機で前記圧縮機１１は室外空間と接する前記第２空気排出口３２ｂに隣接して配置されるので、そのような問題は発生しない。
【００９０】
即ち、図６に示すように、室外空気は前記第２空気排出口３２ｂを介して前記空気排出流路３２の内側に流入する。流入した室外空気は前記圧縮機１１と熱交換した後に再び外部に排出されるので、前記圧縮機１１の過熱問題は発生しない。
【００９１】
前記第４モードでも同様に前記開閉用パネル３５は前記空気吸入流路３３、より詳細には前記第２流路２３を閉鎖する。そして、前記第１熱交換機１４では凝縮熱が発生し、前記第１送風ファン１７によって第３空気吸入口３４に流入した室内空気が前記第１熱交換機１４を経由した後、前記第１空気排出口３３ｂを介して室内空間に吐き出される。
第４モードでは冷媒の循環方向の転換による第１熱交換機１４での作用が異なるだけで、その他の作動は前記第３モードと同一であるので、更なる説明は以下に省略する。
【００９２】
室内空間を換気のみする第５モードでは前記開閉用パネル３５が前記第３空気吸入口３４を閉鎖した状態で第１送風ファン１７と第２送風ファン１６が回転する。この際、前記圧縮機１１は作動せず、これにより、第１熱交換機１４ではどんな熱交換も起こらない。但し、室外空気と室内空気が前記再生熱交換機２０で間接的に熱交換するので、多少の熱エネルギー損失低減の効果が得られる。
【００９３】
本発明による空気調和機を用いて室内空間を冷房または暖房するとき、前記の第１モード又は第２モードは、前記第３モード又は第４モードを行なうときに所定時間の間隔をおいて時々短時間に行なうことが好ましい。すると、冷房又は暖房を行いながら換気が必ず必要な時にのみ熱エネルギーの損失を最小化した状態で換気を行なえるので、過度なエネルギーの消費を防止できる。
【００９４】
一方、本発明による空気調和機は、圧縮機１１と第１及び第２熱交換機１４，１３に連結される冷媒配管と各種の配線が他の部品と非常に複雑に縛られて設けられる。したがって、故障による修理、又は第１及び第２送風ファン１７，１６と前記再生熱交換機２０などの掃除のためには、前記圧縮機１１と第１及び第２熱交換機１４，１３、そして、前記配管などをケース３０内で全て分離し出した後、前記再生熱交換機２０と第１及び第２送風ファン１７，１６とを分離しなければならないという短所がある。したがって、部品の故障時に修理が容易ではない。そればかりでなく、周期的に掃除すべき前記第１及び第２送風ファン１７，１６、そして、前記再生熱交換機２０の分離が容易ではなく、空気調和機の衛生状態が悪い状態で長期間稼動するおそれがある。
また、かかる構造は製品の製作時に組立工程を複雑で難しくするので、生産性が低下するという問題を抱えている。
【００９５】
本発明による空気調和機では、前記ケース３０内に提供される各種の部品が容易に装着または脱去されえる構造を提示して、上記の問題の解決方案を提示する。以下ではこれについて図７及び図８を参照にして説明する。
ここで、図７は本発明による改善した組立構造を有する空気調和機の内部構成を示す分解斜視図であり、図８は図７の送風ファンアセンブリを示す分解斜視図である。
【００９６】
本発明による空気調和機で前記圧縮機１１、第１及び第２熱交換機１４，１３、第１及び第２送風ファン４０ｂ，４０ａ、そして、前記再生熱交換機２０は前記ケース３０の側面でスライディングするように挿入された後、固定、或いは脱去される。
ここで、前記圧縮機１１、第１及び第２熱交換機１４，１３は、前記ケース０の第１側面側を介してスライディングするように挿入、或いは脱去される。
これにより、前記圧縮機１１と、第１及び第２熱交換機１４，１３とを連結する冷媒管と、前記部品と関連した各種の配線は前記第１側面に隣接して配置される。一方、前記第１及び第２送風ファン４０ｂ，４０ａ、そして、前記再生熱交換機２０は、前記圧縮機１１と第１及び第２熱交換機１４，１３を装着するか脱去しない状態でもこれらを容易に着脱できるように、前記ケース３０の第１側面に向き合う第２側面側を介して挿入、或いは脱去される。
このために、前記空気調和機には前記部品が各側面を介してスライディングして着脱可能なように多数個のスライディングガイドが提供される。
【００９７】
以下では前記スライディングガイドについて説明する。
前記第１及び第２送風ファン４０ｂ，４０ａは、図３に基づいて説明された第１及び第２送風ファン１７，１６とやや異なる構造を有するので、以下では各々異なる符合を付する。
【００９８】
前記空気調和機には前記再生熱交換機２０のための第１スライディングガイドＧ1が提供される。ここで、前記第１スライディングガイドＧ1は前記ダクト３１に提供される。より具体的には、図７に示すように、前記空気吸入流路３３と前記空気排出流路３２とが相互に交差する部分の四つの角部に提供される。
このように提供された前記第１スライディングガイドＧ1は、前記再生熱交換機２０が前記ケース３０の前記第２側面を介して挿入、或いは脱去されるとき、前記再生熱交換機２０の４四つの角部をそれぞれ包んでスライディング移動を案内する。そして、再生熱交換機２０が完全に装着されたときには、前記再生熱交換機２０の四つの角部を支持して、前記再生熱交換機２０の装着状態を維持させる。
【００９９】
一方、前記第１スライディングガイドＧ1には前記再生熱交換機２０の挿入される深さを制限し、装着位置を決定するための第１ストッパー（図示せず）が提供される。前記第１ストッパーは前記再生熱交換機２０が挿入される第２側面と向き合う前記第１側面と隣接して提供されることが好ましい。
このように提供される前記第１ストッパーは、前記再生熱交換機２０が前記第１側面を介して挿入されることを防止する。
【０１００】
図７に示すように、前記圧縮機１１のためには第２スライディングガイドＧ2が提供される。前記第２スライディングガイドＧ2は、前記空気排出流路３２のある部分のケース３０の底面に広く提供され、溝状からなる。そして、前記第２スライディングガイドＧ2に挿入され、スライディングされるベースプレート１１ａが提供されるが、前記ベースプレート１１ａの上側に前記圧縮機１１が装着される。ここで、前記第２スライディングガイドＧ2は前記第１側面と隣接した部分が開放され、前記第２側面と隣接した部分が塞がっている形態で提供される。したがって、前記圧縮機１１をケース３０内に装着するときには、前記ケース３０の第１側面で前記圧縮機１１が装着されたベースプレート１１ａを前記第２スライディングガイドＧ2に挿入した後、第２側面に押し入れる。
【０１０１】
一方、前記圧縮機１１は、前記第２空気排出口３２ｂと隣接して提供されることが好ましいので、前記第２スライディングガイドＧ2もまた前記空気排出流路３２のある部分のケース３０の側面のうち前記第２空気排出口３２ｂと隣接するように提供される。
【０１０２】
図７を参照すると、前記第１及び第２熱交換機１４，１３のために第４及び第３スライディングガイドＧ3がそれぞれ提供される。前記第２熱交換機１３のために提供される前記第３スライディングガイドＧ3は前記空気排出流路３２内、より詳細には、前記再生熱交換機２０と前記第２空気排出口３２ｂとの間に提供される。前記第２熱交換機１３は、上述したように、前記再生熱交換機２０と隣接して配置されるので、前記第３スライディングガイドＧ3は，図７に示すように、前記ダクト３１に第１スライディングガイドＧ1と平行に形成される。ここで、前記第３スライディングガイドＧ3のうち前記第２熱交換機１３の上方の角部を案内するものは、図７に示すように、前記第１スライディングガイドＧ１のうち前記再生熱交換機２０の下方の角部を案内するものと一体に形成されても良い。一方、前記第２熱交換機１３が前記ケース３０の第１側面を介して着脱されえるように、そして、その装着位置が容易に決定されえるように、第３スライディングガイドＧ3には第２ストッパー（図示せず）が提供される。前記第２ストッパーは前記ケース３０の第２側面に隣接した部分に提供される。
【０１０３】
前記第１熱交換機１４のために提供される前記第４スライディングガイド Ｇ4は前記空気吸入流路３３内、より詳細には、前記再生熱交換機２０と前記第１空気排出口３３ｂとの間に提供される。前記第１熱交換機１４は、上述したように、前記第１空気排出口３３ｂと隣接して提供されるので、図７に示すように、前記第４スライディングガイドＧ4も前記ケース３０の底面に前記第１空気排出口３３ｂと隣接するように提供される。一方、前記第１熱交換機１４が前記第１側面を介して着脱されえるように、そして、前記第１熱交換機１４の設置位置が容易に決定されえるように、前記第４スライディングガイド Ｇ4には第３ストッパー（図示せず）が提供される。
前記第３ストッパーは前記第２側面と隣接した側に提供される。
【０１０４】
一方、上記のように提供される第３及び第４スライディングガイド Ｇ3， Ｇ4の間に位置するケース３０の底面には、前記第２及び第１熱交換機１３，１４でそれぞれ発生した凝縮水を受けられるように凹んだ凝縮水受け溝３７が提供される。そして、排水チャンネル３８が前記凝縮水受け溝３７を相互に連結するように底面に提供される。前記凝縮水受け溝３７と前記排水チャンネル３８、そして、これと共に提供されるドレイン、及びドレインホース３９は既に説明したので、以下で省略する。
【０１０５】
図７を参照すると、第１及び第２送風ファン４０ｂ，４０ａのために第６及び第５スライディングガイド（Ｇ6，Ｇ5）がそれぞれ提供される。前記第２送風ファン４０ａのために提供される第５スライディングガイドＧ5は、空気排出流路３２内、より詳細には、前記再生熱交換機２０と前記第１空気吸入口３２ａとの間に提供される。このような第５スライディングガイドＧ5は、図７に示すように、前記第１空気吸入口３２ａに隣接して配置され、前記ダクト３１に提供される。しかしながら、前記第５スライディングガイドＧ5はこれに限らず、前記ケース３０から延長される変形した形態でも実施が可能であろう。
【０１０６】
かかる第５スライディングガイドＧ5は、前記第２送風ファン４０ａが前記ケース３０の第２側面を介して着脱されえるように形成される。前記第５スライディングガイドＧ5には、前記第１乃至第３ストッパーと同様の役割を行なう第４ストッパー（図示せず）が提供される。前記第４ストッパーは前記第１側面と隣接して提供される。
【０１０７】
前記第１送風ファン４０ｂのために提供される前記第６スライディングガイドＧ6は、空気吸入流路３３内、より詳細には、前記再生熱交換機２０と前記第１空気排出口３３ｂとの間に提供される。ここで、前記第１熱交換機１４は、上述したように、前記第１空気排出口３３ｂに隣接して提供されるので、前記第６スライディングガイドＧ6は前記再生熱交換機２０と前記第１熱交換機１４との間に配置される。前記第６スライディングガイドＧ6は前記ケース３０の底面に提供されるが、図７に示すように、前記第４スライディングガイドＧ4と隣接して配置されるものは前記第４スライディングガイドＧ4と一体に形成されても良い。一方、前記第６スライディングガイドＧ6には前記第１乃至第４ストッパーと同様の役割を果たす第５ストッパーが提供されるが、これは前記第２側面と隣接するように提供される。
【０１０８】
一方、前記第１及び第２送風ファン４０ｂ，４０ａは、前記第２側面を介して前記第６及び第５スライディングガイドＧ6，Ｇ5の間で着脱されえるが、装着及び脱去を容易に行えるように、図８に示すように、一つのアセンブリで製作される。図８に示すように、アセンブリで製作される第１及び第２送風ファン４０ｂ，４０ａは、ボディー４１、モーター４２、そして、ブレードアセンブリ４３を含めてなる。前記ボディー４１の中心部には空気が通過するようにオリフィス４１ａが提供される。そして、ボディー４１の外面は前記第５又は第６スライディングガイドＧ5，Ｇ6の間に挿入されたときに前記第５又は第６スライディングガイドＧ5，Ｇ6と密着されえる形状を有する。したがって、前記ボディー４１の外面のうち少なくとも二つの面は水平な平面からなる。
【０１０９】
前記モーター４２は、図８に示すように、その回転軸が前記オリフィス４１ａの中心に位置するように配置される。そして、ブレードアセンブリ４３は、前記モーター４２の回転軸に連結され装着される。上記のように第１又は第２送風ファン４０ａが前記第６又は第５スライディングガイドＧ5の間に挿入装着されえるボディー４１を含めてなる一つのアセンブリで構成されると、着脱がさらに容易となる。
【０１１０】
以下では図７及び図８に基づいて説明された構造を有する本発明による空気調和機の分解過程を簡単に説明する。
まず、前記ケース３０の第１側面を開放させる。そして、冷媒管を前記圧縮機１１と、第１及び第２熱交換機１４，１３とから分離する。そして、前記ケース３０の内部から前記圧縮機１１と第１及び第２熱交換機１４，１３とを前記第１側面を介して抜き出す。この際、前記第２，第６、そして、第５スライディングガイドＧ5がこれらのスライディング移動を案内する。次に、前記第１側面に向き合う第２側面を開放する。そして、再生熱交換機２０を前記第２側面を介して抜き出す。この際、前記再生熱交換機２０のスライディング移動を前記第１スライディングガイドＧ1が案内する。そして、前記第１及び第２送風ファン４０ｂ，４０ａを前記第２側面を介して抜き出す。この際、前記第１及び第２送風ファン４０ｂ，４０ａのスライディング移動を前記第６及び第５スライディングガイドＧ6，Ｇ5が案内する。
【０１１１】
上記のように、本発明による空気調和機で前記圧縮機１１、第１及び第２熱交換機１４，１３は第１側面を介して脱去し、前記第１及び第２送風ファン４０ｂ，４０ａ、そして、前記再生熱交換機２０は前記第２側面を介して脱去する。
この際、前記第１側面を介して脱去する部品と、前記第２側面を介して脱去する部品とは互いに縛られていないので、脱去作業が独立的で容易に行なわれえる。ここで、前記第２側面に脱去される部品を先に脱去しても構わない。
一方、前記部品を前記ケース３０内に装着するときには上記過程を反対に行う。
【０１１２】
以上で説明したように、図７及び図８による構造を有する本発明の空気調和機は、前記圧縮機１１、第１及び第２熱交換機１４，１３をケース３０から脱去しない状態で前記再生熱交換機２０、そして、前記第１及び第２送風ファン４０ｂ，４０ａを脱去できる。したがって、製品生産時に組立が非常に容易となり、生産性が向上する。そして、故障時に分解が容易であり、部品の交替が容易に行えるので、維持且つ管理が容易である。
だけでなく、周期的に掃除すべき部品を容易に脱去して掃除できるので、 常にきれいな状態で空気調和機の長時間使用が可能である。
一方、各部品が正確な位置に装着されるので、ケース３０の内部を流動する空気の流動抵抗を減少させえる。
【０１１３】
一方、第１及び第２熱交換機１４，１３がスライディングしながらケース３０の内部に着脱されるとき、前記第１及び第２熱交換機１４，１３のピンが損傷するおそれがある。このため、組立、又は脱去時において第１及び第２熱交換機１４，１３の取り扱いに注意を払わなければならず、作業が容易ではない。
【０１１４】
そして、前記第１及び第２熱交換機１３の角部と前記ダクト３１の内面との間には間隔が存在する。このため、前記間隔を通じて室外又は室内空気が移動するので、熱交換の不可能な領域が発生し、熱交換効率が低下するという問題を有する。
【０１１５】
本発明による空気調和機では、前記第１及び第２熱交換機１４，１３の角部を保護しながら前記ダクト３１の内面と前記ピンとの間隔を塞ぐジグ５０を提供する。以下では前記ジグ５０について図９乃至図１５を参照にして説明する。
【０１１６】
図９は図４に示す空気調和機で熱交換機を示す斜視図であり、図１０は本発明による改善した熱交換機を有する空気調和機の一実施形態の内部構成を示す斜視図である。そして、図１１は図１０の空気調和機で熱交換機を示す斜視図であり、図１２は図１１の熱交換機でジグの形状を示す斜視図である。
【０１１７】
図９を参照すると、図３に示す第１熱交換機１４は等間隔で平行に配置された多数個のフィン１４ｂを冷媒管１４ａが貫通するように設けられた構造を有する。かかる構造を有する場合、前記第１熱交換機１４を着脱するときに前記第１熱交換機１４の角部、つまり、前記フィン１４ｂの先端部と角部が損傷しやすい。このため、前記ジグ５０は、図１０及び図１１に示すように、前記フィン１４ｂの外部の周縁を包むように提供される。
【０１１８】
前記ジグ５０は、図１１に示すように、一つのサイドが開放されたフレーム形状からなり、その他の三つのサイドを包むように提供される。このようなジグ５０は、図１２に示すように、一対のジグボディー５１と、そのジグボディー５１を相互に連結するヒンジ５３とを含めてなる。
ここで、前記ジグボディー５１は、前記第１熱交換機１４の両側面で前記ピン１４ｂの外部の周縁をそれぞれ包むように提供される。そして、前記ヒンジ５３が前記ジグボディー５１を連結するので、前記ジグボディー５１のうち何れか一方は他方に対して前記ヒンジ５３を中心に回動可能になる。
【０１１９】
一方、前記ヒンジ５３は上記の開放された一つのサイドに向き合うサイドに提供される。ここで、前記ヒンジ５３は他のサイドに提供されても構わない。
前記ジグ５０は、図１１に示すように、締結部材５６によって前記第１熱交換機１４に堅固に装着される。ここで、前記締結部材５６は、上記の開放された一つのサイドに隣接した部分のジグボディー５１に提供される。
【０１２０】
一方、空気調和機が室内空間を冷房する前記第１熱交換機１４の外面には露が生成される。このように生成された露は次第に大きくなりつつ下側に落ちる。したがって、本発明によるジグ５０には前記第１熱交換機１４の表面に生成された凝縮水を下側の空間に排出するための排水ホール５４が提供される。前記排水ホール５４は、前記ジグボディー５１の下面に提供されるが、何れか一方のジグボディー５１に形成されるか、二つのジグボディー５１に共に形成される。そして、前記ケース３０の底面には前記排水ホール５４から落下する凝縮水を受けるための凝縮水受け溝３７が提供される。前記凝縮水受け溝３７と排水チャンネル３８についての説明は上述したので省略する。
【０１２１】
本発明による空気調和機で前記ジグボディー５１は、第１熱交換機１４で発生する凝縮水を自体的に一時貯蔵可能な凝縮水容器５５をさらに含めてなる。
これについて、図１３乃至図１５を参照にして説明する。ここで、図１３は本発明による改善した熱交換機を有する空気調和機の他の実施形態の内部構成を示す斜視図であり、図１４は図１３の空気調和機で熱交換機の形状を示す斜視図であり、図１５は図１４の熱交換機でジグの形状を示す斜視図である。
【０１２２】
図１３乃至図１５を参照すると、前記凝縮水容器５５は前記ジグボディー５１の下面に提供される。
前記凝縮水容器５５は上面が開放された形態からなるので、前記ジグボディー５１の排水ホール５４を通じて落下する凝縮水を内部に貯蔵可能である。
前記凝縮水容器５５は、前記ボディー５１のうち何れか一方にその一部が固定されるか、前記ジグボディー５１のうち何れか一方と一体に形成される。
【０１２３】
上記のようにジグ５０に前記凝縮水容器５５が提供されると、前記ケース３０の底面には、図１３に示すように、別途の凝縮水受け溝が提供される必要がない。一方、前記凝縮水容器５５に貯蔵された凝縮水は別途の排水ホースを用いて外部に排出される。
【０１２４】
上記のような構造を有するジグ５０は、前記ヒンジ５３を中心に二つのジグボディー５１をやや開き、その内側に前記第１熱交換機１４を挿入した後、前記ジグボディー５１を第１熱交換機１４の縁面に密着させた後、締結部材５６で堅固に固定する方法で装着する。このように装着される前記ジグ５０は、前記第１熱交換機１４の設置時にその外面が前記ダクト３１の内面と接触されえる大きさで製作されるのが好ましい。このような大きさでは前記ダクト３１を介して流動するモード空気と熱交換が可能であるだけでなく、側面と上面が前記ダクト３１の内面により支持されるので、外部の衝撃や内部の振動によって前記第１熱交換機１４が揺れることを防止できる。これにより、冷媒管と配線などの連結部位が弱くなるなどの問題を効率よく防止できる。
【０１２５】
上記のような構造を有するジグ５０が第１熱交換機１４に装着されると、前記第１熱交換機１４をケース３０内に装着するか、内部から脱去するときに角部が損傷することを効率よく防止できる。一方、上記では第１熱交換機１４の例を挙げて前記ジグ５０について説明したが、前記ジグ５０は、第１熱交換機１４だけでなく、第２熱交換機１３にも同様な構造で装着される。
【図面の簡単な説明】
【０１２６】
【図１】本発明による空気調和システムを簡略に示す構成図である。
【図２】図１の空気調和システムで再生熱交換機の一部の構造を示す斜視図である。
【図３】本発明による空気調和機の一実施形態の内部構成を示す斜視図である。
【図４】図３の空気調和機で凝縮水の排水構造を示す斜視図である。
【図５】図３の空気調和機が換気の機能を共に行うときの空気の流動状態を示す斜視図である。
【図６】図３の空気調和機が冷房又は暖房機能のみを行うときの空気の流動状態を示す斜視図である。
【図７】本発明による改善した組立構造を有する空気調和機の内部構成を示す分解斜視図である。
【図８】図７の送風ファンアセンブリを示す分解斜視図である。
【図９】図３の空気調和機における熱交換機を示す斜視図である。
【図１０】本発明による改善した熱交換機を有する空気調和機の一実施形態の内部構成を示す斜視図である。
【図１１】図１０の空気調和機における熱交換機を示す斜視図である。
【図１２】図１１の熱交換機でジグの形状を示す斜視図である。
【図１３】本発明による改善した熱交換機を有する空気調和機の他の実施形態の内部構成を示す斜視図である。
【図１４】図１３の空気調和機で熱交換機の形状を示す斜視図である。
【図１５】図１４の熱交換機におけるジグの形状を示す斜視図である。
【図１６】冷／暖房の可能な一般的な空気調和システムを簡略に示す構成図である。
【符号の説明】
【０１２７】
１１…圧縮機
１２…流路制御バルブ
１３，１４…第２及び第１熱交換機
１６，１７…第２及び第１送風ファン
２０…再生熱交換機
【図１】
2004191033.tif 000003
【図２】
2004191033.tif 000004
【図３】
2004191033.tif 000005
【図４】
2004191033.tif 000006
【図５】
2004191033.tif 000007
【図６】
2004191033.tif 000008
【図７】
2004191033.tif 000009
【図８】
2004191033.tif 000010
【図９】
2004191033.tif 000011
【図１０】
2004191033.tif 000012
【図１１】
2004191033.tif 000013
【図１２】
2004191033.tif 000014
【図１３】
2004191033.tif 000015
【図１４】
2004191033.tif 000016
【図１５】
2004191033.tif 000017
【図１６】
2004191033.tif 000018